(57)【要約】      （修正有）【課題】ＣＶＴベルト用リングのストック量を適正に決定することが可能なＣＶＴベルト用リングのストック量決定方法を提供する。【解決手段】リング部材が積層されて複数の層を形成するＣＶＴベルト用リングのストック量決定方法は、対応する層が予め設定されたリング部材の周長を測定する周長測定工程Ｓ１００と、リング部材の周長と対応する層の基準周長との偏差を算出する周長偏差算出工程Ｓ２００と、リング部材の層毎の累積平均周長偏差を算出する累積平均周長偏差算出工程Ｓ３００と、リング部材の層毎の累積周長偏差標準偏差を算出する累積周長偏差標準偏差算出工程Ｓ４００と、目標平均周長偏差層間差を決定する目標平均周長偏差層間差決定工程Ｓ５００と、ＣＶＴベルト用リングのストック量を決定する適正ストック量決定工程Ｓ６００と、を具備する。【選択図】図３
2007283446.tif 000002
【特許請求の範囲】
【請求項１】
複数のリング部材が積層されて複数の層を形成するＣＶＴベルト用リングのストック量決定方法であって、
対応する層が予め設定されたリング部材の周長を測定する周長測定工程と、
前記リング部材の周長と前記リング部材に対応する層の基準周長との偏差を算出する周長偏差算出工程と、
前記リング部材の層毎の累積平均周長偏差を算出する累積平均周長偏差算出工程と、
前記リング部材の層毎の累積周長偏差標準偏差を算出する累積周長偏差標準偏差算出工程と、
前記累積周長偏差標準偏差に基づいて目標平均周長偏差層間差を決定する目標平均周長偏差層間差決定工程と、
前記リング部材の平均周長偏差層間差および前記目標平均周長偏差層間差に基づいてＣＶＴベルト用リングのストック量を決定する適正ストック量決定工程と、
を具備することを特徴とするＣＶＴベルト用リングのストック量決定方法。
【請求項２】
前記適正ストック量決定工程において、
前記リング部材の平均周長偏差層間差の投入本数に対する収束点を求め、当該収束点における平均周長偏差層間差が前記目標平均周長偏差層間差よりも小さい場合に、前記収束点またはこれに所定の余剰本数を加えた前記リング部材の本数に基づいてＣＶＴベルト用リングのストック量を決定することを特徴とする請求項１に記載のＣＶＴベルト用リングのストック量決定方法。
【発明の詳細な説明】
【技術分野】
【０００１】
本発明は、ＣＶＴベルト用リングのストック量を決定する方法に関する。
【背景技術】
【０００２】
従来、自動車の燃費向上やショックのないスムーズな変速を行う技術の一つとしてＣＶＴ（Ｃｏｎｔｉｎｕｏｕｓｌｙ  Ｖａｒｉａｂｌｅ  Ｔｒａｎｓｍｉｓｓｉｏｎ）、特にベルト式のＣＶＴが検討されている。
ベルト式のＣＶＴは、多数のＣＶＴエレメントを隙間無く無端状のリング（ＣＶＴベルト用リング）に係合して形成するＣＶＴベルトを入力側および出力側の二つのプーリに巻回し、該二つのプーリの一方または両方を割りプーリとし、ＣＶＴベルトが当接する当該プーリにおける溝の間隔を変更することにより、該二つのプーリの実質的な直径比を変化させ、変速を行うものである。
【０００３】
ＣＶＴベルト用リングには高い耐久性が要求されるため、通常は靭性および耐摩耗性に優れた薄い（数百ミクロン程度）のマルエージング鋼等からなるリング部材を複数積層することにより製造される。このとき、隣り合うリング部材間の周長差を所定値以下とし、積層されたリング部材間でずれる（スリップする）事がないように組み立てることが要件（以下当該要件を「組み合わせ要件」という。）となる。
【０００４】
上記の如き要件を満たすためには、リング部材の製造工程において当該リング部材の周長を精度良く管理する必要があるが、実際にはリング部材の製造工程の過程（窒化処理等の熱処理）でリング部材の周長が変化し、最終的な周長にバラツキが生じる。
そのため、従来は、最終的な周長が測定されたリング部材を予めストックしておき、当該ストックの中から「組み合わせ要件」を満たす複数のリング部材を取り出し、これらを積層することによりＣＶＴベルト用リングを製造していた。例えば、特許文献１に記載の如くである。
【０００５】
しかし、特許文献１に記載のＣＶＴベルト用リングの製造方法は、非常に大量のリング部材をストックしておかなければならないという問題があった。
これは、一本のＣＶＴベルト用リングに使用されるリング部材の本数は最大で十数本にもなり、通常、一本のＣＶＴベルトには更に二本のＣＶＴベルト用リングが使用されるからである。
また、「組み合わせ要件」を満たす複数のリング部材を取り出してＣＶＴベルト用リングを製造する作業を繰り返していくと、周長が基準となる周長からやや外れた値を有するために選択されず、ストックされたままＣＶＴベルト用リングの製造工程に滞留するリング部材の数が次第に多くなっていき、リング部材を大量にストックしているにもかかわらず「組み合わせ要件」を満たす組み合わせの選択肢が少なくなる。すると、ＣＶＴベルト用リングの製造本数の急な増加や工程トラブル等への対応が困難となり、リング部材を更に大量にストックしておかねばなければならないという悪循環を起こす。
そして、リング部材のストック量が多くなるほど個々のリング部品の管理が困難となり、ひいてはＣＶＴベルト用リングの品質の維持、リング部材のストックのためのスペースの確保、および当該管理に要する労力およびコストの削減が困難となる。
【０００６】
このような問題を解消するためには、まず、前工程であるリング部材の製造工程の工程能力（リング部材の周長のバラツキ）を考慮して、ＣＶＴベルト用リングの製造工程における適正なリング部材のストック量を決定する必要があるが、従来はリング部材のストック量を過去のトラブル等の経験に基づいて決定しており、当該ストック量がＣＶＴベルト用リングの製造工程の安定性（工程トラブルや生産量の変動への対応能力）、ＣＶＴベルト用リングの品質、あるいは管理コスト（労力）その他の要素を全て加味した適正なものであるか否かを定量的に判断することが困難であった。
【特許文献１】国際公開第２００２／０２４３９９号
【発明の開示】
【発明が解決しようとする課題】
【０００７】
本発明は以上の如き状況に鑑み、ＣＶＴベルト用リングのストック量を適正に決定することが可能なＣＶＴベルト用リングのストック量決定方法を提供するものである。
【課題を解決するための手段】
【０００８】
本発明の解決しようとする課題は以上の如くであり、次にこの課題を解決するための手段を説明する。
【０００９】
即ち、請求項１においては、
複数のリング部材が積層されて複数の層を形成するＣＶＴベルト用リングのストック量決定方法であって、
対応する層が予め設定されたリング部材の周長を測定する周長測定工程と、
前記リング部材の周長と前記リング部材に対応する層の基準周長との偏差を算出する周長偏差算出工程と、
前記リング部材の層毎の累積平均周長偏差を算出する累積平均周長偏差算出工程と、
前記リング部材の層毎の累積周長偏差標準偏差を算出する累積周長偏差標準偏差算出工程と、
前記累積周長偏差標準偏差に基づいて目標平均周長偏差層間差を決定する目標平均周長偏差層間差決定工程と、
前記リング部材の平均周長偏差層間差および前記目標平均周長偏差層間差に基づいてＣＶＴベルト用リングのストック量を決定する適正ストック量決定工程と、
を具備するものである。
【００１０】
請求項２においては、
前記適正ストック量決定工程において、
前記リング部材の平均周長偏差層間差の投入本数に対する収束点を求め、当該収束点における平均周長偏差層間差が前記目標平均周長偏差層間差よりも小さい場合に、前記収束点またはこれに所定の余剰本数を加えた前記リング部材の本数に基づいてＣＶＴベルト用リングのストック量を決定するものである。
【発明の効果】
【００１１】
本発明の効果として、以下に示すような効果を奏する。
【００１２】
請求項１においては、ＣＶＴベルト用リングのストック量を適正に決定することが可能である。
【００１３】
請求項２においては、ＣＶＴベルト用リングのストック量を適正に決定することが可能である。
【発明を実施するための最良の形態】
【００１４】
以下では、図１および図２を用いてＣＶＴベルト用リング５について説明する。
【００１５】
図１に示す如く、ＣＶＴ１は自動車の変速装置として用いられるものである。ＣＶＴ１はベルト式のＣＶＴであり、入力側プーリ２、出力側プーリ３、ＣＶＴベルト４等を具備する。
入力側プーリ２および出力側プーリ３は回転可能に軸支され、これらにＣＶＴベルト４が巻回される。エンジン（不図示）等からＣＶＴ１に入力された駆動力は、入力側プーリ２からＣＶＴベルト４を経て出力側プーリ３に伝達され、出力される。
入力側プーリ２および出力側プーリ３はいわゆる割りプーリであり、油圧シリンダ等の油圧アクチュエータ（不図示）を用いてＣＶＴベルト４が係合する外周面の溝の幅を調整することにより、入力側プーリ２および出力側プーリ３に係合する部分のＣＶＴベルト４の曲率半径を変更し、ひいてはＣＶＴ１の入力側プーリ２の回転速度と出力側プーリ３の回転速度の比（変速比）を変更することが可能である。
【００１６】
ＣＶＴベルト４はＣＶＴベルト用リング５・５およびＣＶＴエレメント６・６・・・を具備する。
ＣＶＴベルト用リング５・５は本発明に係るＣＶＴベルト用リングの実施の一形態であり、マルエージング鋼等の金属材料からなる無端状のリングである。ＣＶＴエレメント６・６・・・は、それぞれ隣接するＣＶＴエレメント６・６と表面または裏面で当接した状態で積層され、ＣＶＴベルト用リング５・５に係合される。
【００１７】
図２に示す如く、ＣＶＴベルト用リング５・５は、それぞれＣＶＴエレメント６の左右に設けられた溝６ａ・６ａに係合する。
ＣＶＴベルト用リング５はリング部材５ａ・５ｂ・５ｃ・５ｄ・５ｅ・５ｆ・５ｇ・５ｈ・５ｉを具備する。
リング部材５ａ・５ｂ・５ｃ・５ｄ・５ｅ・５ｆ・５ｇ・５ｈ・５ｉは本発明に係るリング部材の実施の一形態であり、マルエージング鋼等の金属材料からなる無端状のリング状の部材である。
図２に示す如く、ＣＶＴベルト用リング５の断面を見ると、リング部材５ａ・５ｂ・５ｃ・５ｄ・５ｅ・５ｆ・５ｇ・５ｈ・５ｉが積層され、複数の「層」を形成する。
本実施例の場合、第１層から第９層までの計９つの層が形成される。リング部材５ａは第１層に対応し、リング部材５ｉは第９層に対応する。
なお、本実施例ではＣＶＴベルト用リング５を構成するリング部材の数を９本（層の数を９層）としたが、本発明に係るＣＶＴベルト用リングはこれに限定されず、適用される自動車の種類や排気量等に応じてＣＶＴベルト用リングを構成するリング部材の数を適宜選択することが可能である。
【００１８】
以下では、図３乃至図７を用いて本発明に係るＣＶＴベルト用リングのストック量決定方法の実施の一形態について説明する。
図３に示す如く、本発明に係るＣＶＴベルト用リングのストック量決定方法の実施の一形態は、周長測定工程Ｓ１００、周長偏差算出工程Ｓ２００、累積平均周長偏差算出工程Ｓ３００、累積周長偏差標準偏差算出工程Ｓ４００、目標平均周長偏差層間差決定工程Ｓ５００、適正ストック量決定工程Ｓ６００を具備する。
【００１９】
周長測定工程Ｓ１００は対応する層が予め設定された単位投入数のリング部材５ａ・５ｂ・５ｃ・・・の周長を測定する工程である。
「単位投入数」は、前工程から本発明に係るＣＶＴベルト用リングのストック量決定方法が適用される工程にリング部材が投入される際の単位となる本数である。
本実施例の場合、「前工程」はリング部材５ａ・５ｂ・５ｃ・・・の製造工程であり、「本発明に係るＣＶＴベルト用リングのストック量決定方法が適用される工程」はＣＶＴベルト用リング５の製造工程である。また、本実施例の単位投入数は一本のＣＶＴベルト用リング５を製造するのに必要なリング部材の本数である９本である。
「周長」は、リング部材の一周の長さである。
「対応する層が予め設定される」とは、前工程の終了時点におけるリング部材の周長がそれぞれ対応する層の基準周長となるように前工程にて所定の加工を施すことを指す。
「基準周長」は、ＣＶＴベルト用リングの完成時の所望の周長を達成するために各層のリング部材が達成すべき周長を指す。
【００２０】
周長測定工程Ｓ１００において、ＣＶＴベルト用リング５の製造工程に投入されてきた９本のリング部材５ａ・５ｂ・５ｃ・５ｄ・５ｅ・５ｆ・５ｇ・５ｈ・５ｉのそれぞれの周長Ｌが、図４に示す周長測定装置１０を用いて測定される。
リング部材５ａは、前工程（リング部材５ａ・５ｂ・５ｃ・・・の製造工程）において、予めＣＶＴベルト用リング５の第１層（ＣＶＴベルト用リング５における複数の層のうち、最も外周側の層）に対応するように設定されている。
【００２１】
同様に、リング部材５ｂ・５ｃ・５ｄ・５ｅ・５ｆ・５ｇ・５ｈ・５ｉは、前工程において、それぞれ予めＣＶＴベルト用リング５の第２層、第３層、第４層、第５層、第６層、第７層、第８層および第９層（第９層はＣＶＴベルト用リング５における複数の層のうち、最も内周側の層）に対応するように設定されている。
周長測定装置１０のプーリ１１・１２にリング部材５ａが巻回され、プーリ１１・１２がそれぞれ離間する方向に移動し、リング部材５ａに所定の張力が付与された状態でプーリ１１・１２の中心間距離Ｗが測定される。そして、リング部材５ａの直径Ｌが、プーリ１１・１２の中心間距離Ｗおよびプーリ１１・１２の直径Ｒを用いて算出される（Ｌ＝２×Ｗ＋π×Ｒ）。
同様に、リング部材５ｂ・５ｃ・５ｄ・５ｅ・５ｆ・５ｇ・５ｈ・５ｉの周長が算出される。
【００２２】
なお、本実施例では周長測定装置１０を用いてリング部材５ａ・５ｂ・５ｃ・５ｄ・５ｅ・５ｆ・５ｇ・５ｈ・５ｉの周長を測定したが、本発明に係るＣＶＴベルト用リングのストック量の決定方法はこれに限定されず、精度良く測定可能であれば他の方法を用いてリング部材の周長を測定しても良い。
また、単位投入数は本実施例の如く９本に限定されるものではなく、一本のＣＶＴベルト用リングの製造に必要なリング部材の本数やＣＶＴベルト用リング製造工程における取り回し等に応じて適宜選択することが可能である。
また、本実施例では一本のＣＶＴベルト用リング５を構成する各層に対応するリング部材５ａ・５ｂ・５ｃ・５ｄ・５ｅ・５ｆ・５ｇ・５ｈ・５ｉを一つのセットとしてＣＶＴベルト用リング５の製造工程に投入する構成としたが、本発明に係るＣＶＴベルト用リングのストック量決定方法はこれに限らず、ベルト部材を層毎に複数本まとめて投入しても良い。
ただし、通常は単位投入数をＣＶＴベルト用リングを製造するのに必要なリング部材の本数、またはその整数倍とすることが望ましい。
【００２３】
周長測定工程Ｓ１００が終了したら、周長偏差算出工程Ｓ２００に移行する。
【００２４】
周長偏差算出工程Ｓ２００はリング部材５ａ・５ｂ・５ｃ・５ｄ・５ｅ・５ｆ・５ｇ・５ｈ・５ｉの周長と、それぞれに対応する層の基準周長との偏差、すなわち「周長偏差」を算出する工程である。
周長偏差算出工程Ｓ２００において、リング部材５ａの周長から第１層の基準周長を引いた値（周長偏差）を算出する。
同様に、リング部材５ｂの周長から第２層の基準周長を引いた値、リング部材５ｃの周長から第３層の基準周長を引いた値、・・・リング部材５ｉの周長から第９層の基準周長を引いた値、がそれぞれ算出される。
【００２５】
なお、算出されたリング部材の周長偏差が所定の範囲外の場合、当該リング部材を（１）ＣＶＴベルト用リングの製造工程から排除する、または、（２）周長偏差が所定の範囲内となる他の層に付け替えることが可能である。
このようにすることにより、周長が基準周長から大きく外れているために「組み合わせ要件」を満たさず、ＣＶＴベルト用リングの製造に使用されずにＣＶＴベルト用リングの製造工程に滞留するリング部材を極力少なくすることが可能である。
【００２６】
周長偏差算出工程Ｓ２００が終了したら、累積平均周長偏差算出工程Ｓ３００に移行する。
【００２７】
累積平均周長偏差算出工程Ｓ３００はリング部材５ａ・５ｂ・５ｃ・５ｄ・５ｅ・５ｆ・５ｇ・５ｈ・５ｉの層毎の累積平均周長偏差を算出する工程である。
「累積平均周長偏差」は、本発明に係るＣＶＴベルト用リングのストック量決定方法が適用される工程に投入されている（またはストックされている）複数のリング部材のうち、同一の層に対応するリング部材の周長偏差の平均値を指す。
累積平均周長偏差算出工程Ｓ３００において、ＣＶＴベルト用リング５の製造工程に投入されている複数のリング部材のうち、第１層に対応するリング部材５ａ・５ａ・・・の周長偏差の平均値が算出される。
同様に、第２層に対応するリング部材５ｂ・５ｂ・・・の周長偏差の平均値、第３層に対応するリング部材５ｃ・５ｃ・・・の周長偏差の平均値、・・・、第９層に対応するリング部材５ｉ・５ｉ・・・の周長偏差の平均値、が算出される。
【００２８】
累積平均周長偏差算出工程Ｓ３００が終了したら、累積周長偏差標準偏差算出工程Ｓ４００に移行する。
【００２９】
累積周長偏差標準偏差算出工程Ｓ４００はリング部材５ａ・５ｂ・５ｃ・５ｄ・５ｅ・５ｆ・５ｇ・５ｈ・５ｉの層毎の累積周長偏差標準偏差を算出する工程である。
「累積周長偏差標準偏差」は、本発明に係るＣＶＴベルト用リングのストック量決定方法が適用される工程に投入されている（またはストックされている）複数のリング部材のうち、同一の層に対応するリング部材の周長偏差の標準偏差σを指す。
累積周長偏差標準偏差算出工程Ｓ４００において、ＣＶＴベルト用リング５の製造工程に投入されている複数のリング部材のうち、第１層に対応するリング部材５ａ・５ａ・・・の周長偏差の標準偏差が算出される。
同様に、第２層に対応するリング部材５ｂ・５ｂ・・・の周長偏差の平標準偏差、第３層に対応するリング部材５ｃ・５ｃ・・・の周長偏差の標準偏差、・・・、第９層に対応するリング部材５ｉ・５ｉ・・・の周長偏差の標準偏差、が算出される。
【００３０】
累積周長偏差標準偏差算出工程Ｓ４００が終了したら、目標平均周長偏差層間差決定工程Ｓ５００に移行する。
【００３１】
目標平均周長偏差層間差決定工程Ｓ５００は、累積周長偏差標準偏差算出工程Ｓ４００おいて算出された層毎の累積周長偏差標準偏差に基づいて、目標平均周長偏差層間差Ｒａを決定する工程である。
【００３２】
図５に示す如く、「平均周長偏差層間差」は、最も累積平均周長偏差が大きい層の平均周長偏差と最も累積平均周長偏差が小さい層の平均周長偏差との差（層間差）を指す。
一般に、平均周長偏差層間差の値が大きくなるほど、実際にリング部材５ａ・５ｂ・５ｃ・５ｄ・５ｅ・５ｆ・５ｇ・５ｈ・５ｉを組み合わせた際にリング部材間でずれ、ＣＶＴベルト用リング５を製造することが困難となる。すなわち、直行率（一回の組み合わせの試行で良品のＣＶＴベルト用リング５を製造し、次工程（ＣＶＴベルト４の組み立て工程）にＣＶＴベルト用リング５を投入することが可能な確率）が低下する。
【００３３】
累積周長偏差標準偏差が小さい場合、図５に示すヒストグラムのピークが尖り、ヒストグラムの周長偏差方向の幅が小さくなる。
この場合は、前工程（リング部材５ａ・５ｂ・５ｃ・５ｄ・５ｅ・５ｆ・５ｇ・５ｈ・５ｉの製造工程）におけるリング部材の周長のバラツキが小さく、工程管理が良好であることを示す。
逆に、累積周長偏差標準偏差が大きい場合、図５に示すヒストグラムのピークが丸く、ヒストグラムの周長偏差方向の幅が大きくなる。
この場合は、前工程（リング部材５ａ・５ｂ・５ｃ・５ｄ・５ｅ・５ｆ・５ｇ・５ｈ・５ｉの製造工程）におけるリング部材の周長のバラツキが大きいことを示す。
従って、最も累積平均周長偏差が大きい層のヒストグラムと最も累積平均周長偏差が小さい層のヒストグラムとが重なる部分（図５に示す斜線部）の面積は、直行率の大きさとある程度の相関を有する。
【００３４】
本実施例の場合、リング部材５ａ・５ｂ・５ｃ・５ｄ・５ｅ・５ｆ・５ｇ・５ｈ・５ｉの層毎のヒストグラムを作成し、最も累積平均周長偏差が大きい層のヒストグラムと最も累積平均周長偏差が小さい層のヒストグラムとが重なる部分の面積、言い換えれば最も累積平均周長偏差が大きい層のヒストグラムと最も累積平均周長偏差が小さい層のヒストグラムの累積周長偏差標準偏差の値に基づき、図６に示す如き所定の目標直行率を達成する平均周長偏差層間差である目標平均周長偏差層間差Ｒａを決定する。
【００３５】
目標平均周長偏差層間差決定工程Ｓ５００が終了したら、適正ストック量決定工程Ｓ６００に移行する。
【００３６】
適正ストック量決定工程Ｓ６００は、リング部材５ａ・５ｂ・５ｃ・５ｄ・５ｅ・５ｆ・５ｇ・５ｈ・５ｉの平均周長偏差層間差および目標平均周長偏差層間差に基づいてＣＶＴベルト用リング５のストック量を決定する工程である。
適正ストック量決定工程Ｓ６００において、図７に示す如く、リング部材５ａ・５ｂ・５ｃ・５ｄ・５ｅ・５ｆ・５ｇ・５ｈ・５ｉのＣＶＴベルト用リング５の製造工程への投入本数と、平均周長偏差層間差の値との関係を示すグラフが作成される。そして、当該グラフから、平均周長偏差層間差の値の収束点（投入本数の変動に対する平均周長偏差層間差の値の変動が収束する点）が求められる。
収束点における平均周長偏差層間差が目標平均周長偏差層間差よりも小さい場合、当該収束点に対応する投入本数（Ｎ）、またはこれに所定の余剰本数を加えた本数（Ｎ＋α）がリング部材５ａ・５ｂ・５ｃ・５ｄ・５ｅ・５ｆ・５ｇ・５ｈ・５ｉのストック量に決定される。
そして、リング部材５ａ・５ｂ・５ｃ・５ｄ・５ｅ・５ｆ・５ｇ・５ｈ・５ｉのストック量をＣＶＴベルト用リング５の層の数である９で割った値がＣＶＴベルト用リング５のストック量に決定される。
【００３７】
なお、収束点における平均周長偏差層間差が目標平均周長偏差層間差よりも大きい場合、ＣＶＴベルト用リング５の製造工程におけるリング部材５ａ・５ｂ・５ｃ・５ｄ・５ｅ・５ｆ・５ｇ・５ｈ・５ｉのストック量を増やしても所定の直行率を達成することができない。この場合には前工程（リング部材５ａ・５ｂ・５ｃ・５ｄ・５ｅ・５ｆ・５ｇ・５ｈ・５ｉの製造工程）に何らかの問題（トラブル等）が発生しているものとみなして前工程にその旨報告することができる。
【００３８】
また、収束点の決定は作業者が図７に示す投入本数と、平均周長偏差層間差の値との関係を示すグラフから目視で決定しても良く、既知の算出方法により収束点の座標（投入本数および平均周長偏差層間差）を算出しても良い。
さらに、「所定の余剰本数」は実際のＣＶＴベルト用リング５の製造工程の稼働状況等に応じて適宜設定することが可能である。
【００３９】
以上の如く、本発明に係るＣＶＴベルト用リングのストック量決定方法は、
リング部材５ａ・５ｂ・５ｃ・５ｄ・５ｅ・５ｆ・５ｇ・５ｈ・５ｉが積層されて複数の層を形成するＣＶＴベルト用リング５のストック量決定方法であって、
対応する層が予め設定された単位投入数（本実施例の場合、９本）のリング部材５ａ・５ｂ・５ｃ・５ｄ・５ｅ・５ｆ・５ｇ・５ｈ・５ｉの周長を測定する周長測定工程Ｓ１００と、
リング部材５ａ・５ｂ・５ｃ・５ｄ・５ｅ・５ｆ・５ｇ・５ｈ・５ｉの周長とそれぞれに対応する層の基準周長との偏差を算出する周長偏差算出工程Ｓ２００と、
リング部材５ａ・５ｂ・５ｃ・５ｄ・５ｅ・５ｆ・５ｇ・５ｈ・５ｉの層毎の累積平均周長偏差を算出する累積平均周長偏差算出工程Ｓ３００と、
リング部材５ａ・５ｂ・５ｃ・５ｄ・５ｅ・５ｆ・５ｇ・５ｈ・５ｉの層毎の累積周長偏差標準偏差を算出する累積周長偏差標準偏差算出工程Ｓ４００と、
累積周長偏差標準偏差算出工程Ｓ４００おいて算出された層毎の累積周長偏差標準偏差に基づいて、目標平均周長偏差層間差Ｒａを決定する目標平均周長偏差層間差決定工程Ｓ５００と、
リング部材５ａ・５ｂ・５ｃ・５ｄ・５ｅ・５ｆ・５ｇ・５ｈ・５ｉの平均周長偏差層間差および目標平均周長偏差層間差に基づいてＣＶＴベルト用リング５のストック量を決定する適正ストック量決定工程Ｓ６００と、
を具備するものである。
このように構成することにより、ＣＶＴベルト用リング５の製造工程に投入されるリング部材の周長のバラツキの状況、すなわち前工程（リング部材５ａ・５ｂ・５ｃ・５ｄ・５ｅ・５ｆ・５ｇ・５ｈ・５ｉの製造工程）の工程能力に応じてＣＶＴベルト用リング５のストック量を適正に決定することが可能である。
結果として、経験に頼ってリング部材５ａ・５ｂ・５ｃ・５ｄ・５ｅ・５ｆ・５ｇ・５ｈ・５ｉのストック量を不必要に大きく設定することに起因する大きなストックスペースの確保、それに伴う設備コストおよび管理コストの増大といった問題を未然に防止することが可能であり、製造工程の生産性向上に寄与する。
また、ＣＶＴベルト用リング５の製造工程に投入されるリング部材の周長のバラツキの状況に応じてＣＶＴベルト用リング５のストック量を定期的に更新することも可能であり、ＣＶＴベルト用リング５の製造工程の作業の安定性向上に寄与する。
さらに、ＣＶＴベルト用リング５の製造工程に投入されるリング部材の周長のバラツキの状況を監視し、工程能力（リング部材の周長のバラツキ状況）の変動を即座に察知することにより前工程に何らかの問題（トラブル等）が発生していることを報告することが可能であり、前工程の作業の安定性向上にも寄与する。
【００４０】
また、本発明に係るＣＶＴベルト用リングのストック量決定方法は、
適正ストック量決定工程Ｓ６００において、
リング部材５ａ・５ｂ・５ｃ・５ｄ・５ｅ・５ｆ・５ｇ・５ｈ・５ｉの平均周長偏差層間差の投入本数に対する収束点を求め、当該収束点における平均周長偏差層間差が目標平均周長偏差層間差よりも小さい場合に、収束点またはこれに所定の余剰本数を加えたリング部材５ａ・５ｂ・５ｃ・５ｄ・５ｅ・５ｆ・５ｇ・５ｈ・５ｉの本数に基づいてＣＶＴベルト用リング５のストック量を決定するものである。
このように構成することにより、ＣＶＴベルト用リング５のストック量を決定する過程を定量化、可視化することが可能であり、ＣＶＴベルト用リング５のストック量を決定する作業者等の経験等によらず適正なＣＶＴベルト用リング５のストック量を決定することが可能である。
【図面の簡単な説明】
【００４１】
【図１】ＣＶＴの模式図。
【図２】ＣＶＴベルトの断面図。
【図３】本発明に係るＣＶＴベルト用リングのストック量決定方法の実施の一形態を示すフロー図。
【図４】周長測定装置の模式図。
【図５】周長偏差と投入された層毎のリング部材の度数との関係を示す図。
【図６】累積周長偏差標準偏差と平均周長偏差層間差と直行率との関係を示す図。
【図７】累積投入本数と平均周長偏差層間差との関係を示す図。
【符号の説明】
【００４２】
５      ＣＶＴベルト用リング
５ａ・５ｂ・５ｃ・５ｄ・５ｅ・５ｆ・５ｇ・５ｈ・５ｉ  リング部材
【図１】
2007283446.tif 000003
【図２】
2007283446.tif 000004
【図３】
2007283446.tif 000005
【図４】
2007283446.tif 000006
【図５】
2007283446.tif 000007
【図６】
2007283446.tif 000008
【図７】
2007283446.tif 000009